(57)【要約】【課題】スマートフォン等のモバイル端末の画面上に載置することで、簡単に３Ｄホログラム風の映像が楽しむことができるノベルティー商品であって、一枚の型抜きシートで構成し、誰でも容易に立体化できる構造に工夫したもので、大量配布するに著しくコスト安で興味を引くものを提供する。【解決手段】本願映像表示用ノベルティー商品は、プラスチック製の透明な薄板を型抜きしたものであって、中央に四角形状の折筋を形成し、前記折筋のそれぞれに該折筋を底辺とする４個の台形を形成し、対向する２個の台形傾斜辺には後述する切込に挿し込むためのタブを付属して備え、残る２個の台形斜辺には前記タブを挿し込むための切込を形成し、更に前記四角形状で囲まれた部分に名入れ印刷をして構成した。また、四角形状で囲まれた部分に、所定のウェブサイトにネット接続するためのＱＲコード（登録商標）等２次元コードを印刷した。【選択図】図４
2017058620.tif 000002
【特許請求の範囲】
【請求項１】
プラスチック製の透明な薄板を型抜きしたノベルティー商品であって、中央に四角形状の折筋を形成し、前記折筋のそれぞれに該折筋を底辺とする４個の台形を形成し、対向する２個の台形傾斜辺には後述する切込に挿し込むためのタブを付属して備え、残る２個の台形斜辺には前記タブを挿し込むための切込を形成して構成したことを特徴とする映像表示用ノベルティー商品。
【請求項２】
更に前記四角形状で囲まれた部分に名入れ印刷をして構成したことを特徴とする請求項１に記載の映像表示用ノベルティー商品。
【請求項３】
四角形状で囲まれた部分に、所定のウェブサイトにネット接続するためのＱＲコード（登録商標）等２次元コードを印刷して構成したことを特徴とする請求項１、または請求項２に記載の映像表示用ノベルティー商品。
【発明の詳細な説明】
【技術分野】
【０００１】
本発明は、販売促進のために配布されるノベルティー商品に係り、主としてスマートフォンの画面上で表示されるコンテンツ画像を３Ｄホログラム化して映像化することができる映像表示用ノベルティー商品に関する。
一般に、スマートフォンなどの販売キャンペーンでは、来客に各種粗品を配布することが多い。その他、新店舗の開店や新製品発表など、販売促進に係る活動は活発である。
一方、配布する販促品はポケットティッシュに代表されるように廉価なものが採用され、ユーザーの興味をひくことができる商品の出現が切望されている。
【背景技術】
【０００２】
画面の上に置いて、その画像を３Ｄホログラム状に映し出すことができる技術として、下記の特許文献１の公報が公知である。これは、厳密な三次元画像ではないものの、それ風に見えるように簡単な装置で実現したものである。
しかし、他の公知技術もそうであるが、大量にして安価に製造できるようなものではなく、部品点数も多くノベルティー商品へと展開できるものではない。
【先行技術文献】
【特許文献】
【０００３】
【特許文献１】特開２０１５−０９０４０８号公報
【発明の概要】
【発明が解決しようとする課題】
【０００４】
本発明は、安価に製造できることを最優先にして開発したものである。
従って、部品点数を可及的に少なく、即ち、ひとつの部品だけで斯様なホログラム映像が楽しめるように構成することが課題であった。
また、ノベルティー商品として具備しなければならないのが、スポンサーの名入れ印刷である。それができる広さの印刷面を備えることが更なる課題であった。
【課題を解決するための手段】
【０００５】
本発明に係る映像表示用ノベルティー商品は、プラスチック製の透明な薄板を型抜きしたノベルティー商品であって、中央に四角形状の折筋を形成し、前記折筋のそれぞれに該折筋を底辺とする４個の台形を形成し、対向する２個の台形傾斜辺には後述する切込に挿し込むためのタブを付属して備え、残る２個の台形斜辺には前記タブを挿し込むための切込みを形成して構成したことを特徴とする。
【０００６】
また、本発明に係る映像表示用ノベルティー商品は、前記した構成に加えて、更に前記四角形状で囲まれた部分に名入れ印刷をして構成したことを特徴とする。
【０００７】
さらに、本発明に係る映像表示用ノベルティー商品は、前記した構成に加えて、四角形状で囲まれた部分に、所定のウェブサイトにネット接続するためのＱＲコード（登録商標）等２次元コードを印刷して構成したことを特徴とする。
【発明の効果】
【０００８】
本発明に係る映像表示用ノベルティー商品は、ひとつの部品で構成されることが特徴的であって、それ故に著しくコスト安にして大量に供給することができる。
また、ノベルティー商品として具備すべき名入れスペースも十分に確保されていて、当該場所に施した印刷によって、映像を表示する機能を全く阻害しないだけでなく、表示空間へ入ってくる邪魔な外光を遮蔽する効果もあり相乗的に機能する。
そして、特筆すべきはスマートフォンで映し出される映像（それ専用の映像コンテンツ）をして、この商品が機能するので、巨大マーケットであるスマートフォン関連のノベルティー商品として格別な販促効果が期待できる。
【図面の簡単な説明】
【０００９】
【図１】基本構成を説明するための説明図
【図２】第１実施例の構成について説明するための説明図
【図３】第２実施例の構成について説明するための説明図
【図４】第３実施例の構成について説明するための説明図
【図５】組立方法について説明するための説明図
【図６】組立完了後の状態を説明するための説明図
【図７】組立完了後の状態を説明するための説明図
【図８】スマートフォンとの関連を説明するための説明図
【図９】スマートフォンとの関連を説明するための説明図
【図１０】スマートフォンとの関連を説明するための説明図
【発明を実施するための形態】
【００１０】
以下、本発明に係る映像表示用ノベルティー商品の実施形態について、図面に基づいて詳細に説明する。
【実施例１】
【００１１】
図１は本願発明の基本的な構成について説明するための説明図である。図中、１は折筋を指し、薄いシート材にミシン目を施すことで形成される。例えば、透明あるいは幾分つや消しされたプラスチックシート材が適しているが、例えば、ＰＥＴ樹脂、ＰＶＣ樹脂、ポリスチレン樹脂、またはＰＰ樹脂から成るシート材などであって、厚さが０．１５〜１．５ｍｍ程度、好ましくは安価な０．２〜０．５ｍｍ程度のものをして、ミシン目加工することで形成される。尚、前記折筋１は、厚さの半分程度まで押し切るハーフカット加工で代用することも可能であり、ミシン目との併用であってもよい。
【００１２】
そして、図からも明らかなように、本願商品は、中央部に四角形状に形成された前記折筋１のそれぞれに該折筋１を底辺とする４個の台形を形成して構成されるのが基本である。尚、この台形の底辺角度１１は、概ね４５〜６５度程度とし、好ましくは５５度±５度程度とする。また、図２に例示した実施例１では、対向する２個の台形傾斜辺には後述する切込４に挿し込むためのタブ３を付属して備え、残る２個の台形斜辺には前記タブ３を挿し込むための切込４を形成すべく前記台形形状を拡幅して四角形状に構成する。尚、前記した台形形状の基本構成は、切込み４がその傾斜辺に従って延在することで維持されている。
【実施例２】
【００１３】
次に、図３に例示したものについてであるが、本実施例２は前記実施例１の構成を一部変更したものである。それは、図中、７で指す切欠を加えて、後述する組立後の角部を面取り形状にすることで形の良さと組立易さを改善したものである。尚、図中、６で指すはめ込み端は、切込４へタブ３を挿し込む際に、はめ込み易くするための形状にしてある。
【実施例３】
【００１４】
また、図４に例示したものは、実施例２のものにタブ座８を形成し、そのタブ座８が折り曲げ易いようにミシン目にて曲筋９を形成したものである。
【００１５】
さて、以上が本発明に係るノベルティー商品の実施例に関する説明であるが、注目すべきは部品点数が１個で構成されていることである。また、シート材から型抜きされて形成できることが明白で、トムソン刃による抜き加工や高速ダイカットマシンでコスト安に量産できることが容易に理解できる。
【００１６】
次に本願商品の組立方法について説明する。まず、図５乃至図７で図示したように、折筋１をして折り曲げ、切込４にタブ３を挿し込んで、ピラミッド形状に組立される。即ち、図５ならびに図６はピラミッドの頂きから裾を見るような視点で図示した平面図であるが、タブ３を挿し込み終えた図５の状態から、タブ３の折曲端１０をして曲筋５に従って折り曲げることで、図６で図示したようにタブ３の切込４からの抜けを防止する。また、タブ座８についても曲筋９に従って適度に折り曲げることで、後述するすわりの安定化を図ることができる。
【００１７】
即ち、図７は組立後の正面図である。８で指すタブ座は図６でも図示している通り、図面左右に於いて合計４個、これら４個が図９あるいは図１０のようにスマートフォンと係合した時、すわりの安定化に貢献する。言い換えれば、スマートフォンの下位置に配するようにするか、上位置に配するようにするか、いずれであっても、位置が簡単にずれない方が使い易い。よって、好ましくはタブ座８のような安定化構造を具備した方が良い。尚、タブ座の構成がない前記実施例１ならびに実施例２にあって、組立後のすわりに格別な支障がある訳ではない。
【００１８】
さて、図８は本願商品を組立した後、スマートフォンの画面中央部に載置した状態を図示している。尚、簡素化するために３ならびに８で指すタブ類を省いて４つの台形形状のみで図示している。そして、ここで注目すべきは、１３で指す名入れ個所についてである。即ち、四角形状の全域に亙って当該ノベルティーを配布するスポンサー広告の印刷が可能である。また、１３で指す面の反対面、即ち内面にも同じ面積の印刷可能域を具備している。
【００１９】
例えば、前記印刷可能域にＱＲコード（登録商標）等の二次元コードを印刷すれば、ユーザー手持ちのスマートフォンで読み取ることで、所定のウェブサイトに集客することができる。また、３Ｄホログラムに係るサイトに誘導することも容易であって、本商品を利用して興味深いコンテンツ映像を広範囲に亘って楽しむことができる。
【００２０】
尚、図８ではスマートフォン１２の画面に於いて、「Å」なる文字を表示しているが、この映像は載置場所を中心として上下左右の４方面に動画として同時映写されるもので、図示した視線に従って樹脂面に反射し、厳格な３Ｄ映像ではないものの、疑似的に３Ｄ風のホログラムを視認することができる。尚、この種の映像コンテンツは、既にＹｏｕｔｕｂｅなどでも豊富にダウンロードすることが出来、また、４つの台形樹脂板を逆ピラミッド形状にテープ接着して、本願と同じ原理で映像を楽しむ紹介サイトも公知である。
【産業上の利用可能性】
【００２１】
以上の通り、本発明に係る映像表示用ノベルティー商品は、著しくコスト安にして大量に供給することができ、また名入れスペースも十分に確保されているので、スマートフォン関連だけでなく、各種イベントのノベルティー商品として利用されること確実である。
【符号の説明】
【００２２】
１・・折筋
２・・台形
３・・タブ
４・・切込み
５・・曲筋
６・・はめ込み端
７・・切欠
８・・タブ座
９・・曲筋
１０・・折曲端
１１・・底辺角度
１２・・スマートフォン
１３・・名入れ個所
【図１】
2017058620.tif 000003
【図２】
2017058620.tif 000004
【図３】
2017058620.tif 000005
【図４】
2017058620.tif 000006
【図５】
2017058620.tif 000007
【図６】
2017058620.tif 000008
【図７】
2017058620.tif 000009
【図８】
2017058620.tif 000010
【図９】
2017058620.tif 000011
【図１０】
2017058620.tif 000012